【事件の表示】
　商願２０１３−７７９０４拒絶査定不服審判事件について、次のとおり審決する。
【結　論】
　本件審判の請求は、成り立たない。
【理　由】
１　本願商標 
　本願商標は、別掲１のとおりの構成からなり、第３５類「織物及び寝具類の小売又は卸売の業務において行われる顧客に対する便益の提供，被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供，身の回り品の小売又は卸売の業務において行われる顧客に対する便益の提供，飲食料品の小売又は卸売の業務において行われる顧客に対する便益の提供，自転車の小売又は卸売の業務において行われる顧客に対する便益の提供，家具の小売又は卸売の業務において行われる顧客に対する便益の提供，壁掛け・カーテン・敷物の小売又は卸売の業務において行われる顧客に対する便益の提供，電球類及び照明用器具・携帯電話機用部品及び附属品・その他の電気機械器具類の小売又は卸売の業務において行われる顧客に対する便益の提供，キーホルダーの小売又は卸売の業務において行われる顧客に対する便益の提供，台所用品・清掃用具及び洗濯用具の小売又は卸売の業務において行われる顧客に対する便益の提供，化粧品・歯磨き及びせっけん類の小売又は卸売の業務において行われる顧客に対する便益の提供，花及び木の小売又は卸売の業務において行われる顧客に対する便益の提供，印刷物の小売又は卸売の業務において行われる顧客に対する便益の提供，紙類及び文房具類の小売又は卸売の業務において行われる顧客に対する便益の提供，運動具の小売又は卸売の業務において行われる顧客に対する便益の提供，おもちゃ・人形及び娯楽用具の小売又は卸売の業務において行われる顧客に対する便益の提供，時計及び眼鏡の小売又は卸売の業務において行われる顧客に対する便益の提供，たばこ及び喫煙用具の小売又は卸売の業務において行われる顧客に対する便益の提供，ろうそく・ろうそくタイプの芳香剤の小売又は卸売の業務において行われる顧客に対する便益の提供，靴クリーム・靴墨の小売又は卸売の業務において行われる顧客に対する便益の提供，靴べら・靴ブラシ・靴のインソール・靴磨き用クロス・靴用ストレッチャーの小売又は卸売の業務において行われる顧客に対する便益の提供」を指定役務として、平成２５年１０月４日に登録出願されたものである。　
　
２　引用商標 
　原査定において、本願商標が商標法第４条第１項第１１号に該当するとして、本願の拒絶の理由に引用した登録商標は、以下のとおりであり、いずれも現に有効に存続しているものである。
（１）登録第５５２９６号商標（以下「引用商標１」という。）
商標　　　　　：別掲２のとおり
登録出願日　　：明治４５年７月２５日
設定登録日　　：大正元年１０月１６日
最新更新登録日：平成２４年５月８日
書換登録日　　：平成１５年１１月１９日
指定商品　　　：第３類「せっけん（日本薬局方の薬用せっけんを除く。）」及び第５類「日本薬局方の薬用せっけん」
（２）登録第２９９１８８号商標（以下「引用商標２」という。）
商標　　　　　：別掲３のとおり 
登録出願日　　：昭和１２年４月２４日
設定登録日　　：昭和１３年３月９日
最新更新登録日：平成１９年９月２５日
書換登録日　　：平成１９年１０月１０日
指定商品　　　：第９類「眼鏡，眼鏡の部品及び附属品」
（３）登録第４５８８３１号商標（以下「引用商標３」という。）
商標　　　　　：ミューズ
登録出願日　　：昭和２６年６月７日
設定登録日　　：昭和３０年１月２２日
最新更新登録日：平成１７年１月１１日
書換登録日　　：平成１７年９月２１日
指定商品　　　：第９類「事故防護用手袋，防火被服」、第１０類「医療用手袋」、第１４類「カフスボタン，ネクタイピン，宝石ブローチ」、第１６類「紙製幼児用おしめ」、第２１類「家事用手袋」、第２４類「経かたびら，布製身の回り品」、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，ヘルメット，帽子，運動用特殊衣服，マラソン足袋，地下足袋」及び第２６類「帯留，こはぜ，ボタン，衣服用ブローチ」
（４）登録第５３５２３６号商標（以下「引用商標４」という。）
商標　　　　　：別掲４のとおり 
登録出願日　　：昭和３３年５月２日
設定登録日　　：昭和３４年４月６日
最新更新登録日：平成２１年５月７日
書換登録日　　：平成２１年１２月２４日
指定商品　　　：第１類「試験紙」、第５類「防虫紙」、第７類「産卵台紙，蚕座紙」、第１６類「紙類（『擬革紙』を除く。），封筒，張りふみばこ，一閑張り，帳簿，水引」、第１７類「コンデンサーペーパー，バルカンファイバー」、第２７類「壁紙」及び第３４類「紙巻きたばこ用紙」
（５）登録第６１９３４７号商標（以下「引用商標５」という。）
商標　　　　　：別掲５のとおり 
登録出願日　　：昭和３７年５月３１日
設定登録日　　：昭和３８年６月２８日
最新更新登録日：平成２５年４月２３日
書換登録日　　：平成１６年９月８日
指定商品　　　：第２４類「布製身の回り品，かや，敷布，布団，布団カバー，布団側，まくらカバー，毛布」及び第２５類「洋服，コート，セーター類，ワイシャツ類，寝巻類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」　
（６）登録第６２７２６９号商標（以下「引用商標６」という。）
商標　　　　　：別掲５のとおり 
登録出願日　　：昭和３７年５月３１日
設定登録日　　：昭和３８年１０月２２日
最新更新登録日：平成２５年１０月１日
書換登録日　　：平成１６年１１月２４日
指定商品　　　：第２４類「織物（畳べり地を除く。），畳べり地，メリヤス生地」及び第２６類「テープ，リボン，編みレース生地，刺しゅうレース生地」
（７）登録第７６２５６０号商標（以下「引用商標７」という。）
商標　　　　　：ミューズ
登録出願日　　：昭和４１年５月１０日
設定登録日　　：昭和４２年１１月２２日
最新更新登録日：平成１９年１０月２３日
書換登録日　　：平成１９年１１月７日
指定商品　　　：第１類「工業用粉類」、第２９類「豆，食用たんぱく」、第３０類「米，脱穀済みのえん麦，脱穀済みの大麦，食用粉類，食用グルテン」及び第３１類「あわ，きび，ごま，そば，とうもろこし，ひえ，麦，籾米，もろこし，飼料用たんぱく，飼料，種子類，木，草，芝，ドライフラワー，苗，苗木，花，牧草，盆栽，獣類・魚類（食用のものを除く。）・鳥類及び昆虫類（生きているものに限る。），蚕種，種繭，種卵」
（８）登録第７９００１２号商標（以下「引用商標８」という。）
商標　　　　　：ミューズ
登録出願日　　：昭和４０年８月３日
設定登録日　　：昭和４３年８月１３日
最新更新登録日：平成２０年７月２９日
書換登録日　　：平成２１年２月２５日
指定商品　　　：第３類「つけづめ，つけまつ毛」、第８類「ひげそり用具入れ，ペディキュアセット，マニキュアセット，まつ毛カール器」、第１０類「耳かき」、第１８類「携帯用化粧道具入れ」、第２１類「化粧用具（『電気式歯ブラシ』を除く。）」及び第２６類「つけあごひげ，つけ口ひげ，ヘアカーラー（電気式のものを除く。）」
（９）登録第１２４７１０３号商標（以下「引用商標９」という。）
商標　　　　　：ＭＵＳＥ
登録出願日　　：昭和４７年７月２０日
設定登録日　　：昭和５２年２月７日
最新更新登録日：平成１９年２月１３日
書換登録日　　：平成１９年７月１８日
指定商品　　　：第３４類「喫煙用具，マッチ」
（１０）登録第１６３４８５７号商標（以下「引用商標１０」という。）
商標　　　　　：別掲６のとおり 
登録出願日　　：昭和５５年３月２８日
設定登録日　　：昭和５８年１１月２５日
最新更新登録日：平成２５年１０月２２日
書換登録日　　：平成１７年５月２５日
指定商品　　　：第１４類「貴金属製宝石箱，貴金属製の花瓶及び水盤，記念カップ，記念たて」、第２４類「織物製いすカバー，織物製壁掛け，カーテン，テーブル掛け，どん帳，遺体覆い，経かたびら，黒白幕，紅白幕」及び第２７類「畳類，敷物，壁掛け（織物製のものを除く。），人工芝」
（１１）登録第１８０３８７７号商標（以下「引用商標１１」という。）
商標　　　　　：別掲７のとおり
登録出願日　　：昭和５８年２月２８日
設定登録日　　：昭和６０年８月２９日
最新更新登録日：平成１７年５月３１日
書換登録日　　：平成１７年１１月９日
指定商品　　　：第６類「金属製のバックル」、第１４類「身飾品（『カフスボタン』を除く。），カフスボタン，宝石及びその模造品」、第２５類「ガーター，靴下止め，ズボンつり，バンド，ベルト」及び第２６類「腕止め，衣服用き章（貴金属製のものを除く。），衣服用バッジ（貴金属製のものを除く。），衣服用バックル，衣服用ブローチ，帯留，ボンネットピン（貴金属製のものを除く。）ワッペン，腕章，ボタン類，造花（『造花の花輪』を除く。）」
（１２）登録第２４０５２９１号商標（以下「引用商標１２」という。）
商標　　　　　：別掲８のとおり
登録出願日　　：平成元年１２月２８日
設定登録日　　：平成４年４月３０日
最新更新登録日：平成２４年５月２２日
書換登録日　　：平成１４年６月５日
指定商品　　　：第１８類「傘，ステッキ，つえ，つえ金具，つえの柄」及び第２５類「靴類（『靴合わせくぎ・靴くぎ・靴の引き手・靴びょう・靴保護金具』を除く。），靴合わせくぎ，靴くぎ，靴の引き手，靴びょう，靴保護金具，げた，草履類」
（１３）登録第２４６２１７６号商標（以下「引用商標１３」という。）
商標　　　　　：別掲８のとおり 
登録出願日　　：平成元年１２月２８日
設定登録日　　：平成４年９月３０日
最新更新登録日：平成２４年１０月２３日
書換登録日　　：平成１６年３月１７日
指定商品　　　：第２８類「運動用具」
（１４）登録第２６７４５８６号商標（以下「引用商標１４」という。）
商標　　　　　：Ｍｕｓｅ
登録出願日　　：昭和６２年８月７日
設定登録日　　：平成６年６月２９日
最新更新登録日：平成２６年２月１８日
書換登録日　　：平成１７年１２月２１日
指定商品　　　：第９類「映写フィルム，スライドフィルム，スライドフィルム用マウント，録画済みビデオディスク及びビデオテープ，電子出版物」及び第１６類「印刷物，書画，写真，写真立て」
（１５）登録第２７１１３８８号商標（以下「引用商標１５」という。）
商標　　　　　：別掲８のとおり 
登録出願日　　：平成２年４月２６日
設定登録日　　：平成７年１１月３０日
最新更新登録日：平成１７年１２月１３日
書換登録日　　：平成１８年３月２９日
指定商品　　　：第２９類「食肉，卵，食用魚介類（生きているものを除く。），冷凍野菜，冷凍果実，肉製品，加工水産物（「かつお節・寒天・削り節・食用魚粉・とろろ昆布・干しのり・干しひじき・干しわかめ・焼きのり」を除く。），かつお節，寒天，削り節，食用魚粉，とろろ昆布，干しのり，干しひじき，干しわかめ，焼きのり，加工野菜及び加工果実，油揚げ，凍り豆腐，こんにゃく，豆乳，豆腐，納豆，加工卵，カレー・シチュー又はスープのもと，お茶漬けのり，ふりかけ，なめ物」、第３０類「コーヒー豆，穀物の加工品，アーモンドペースト，ぎょうざ，サンドイッチ，しゅうまい，すし，たこ焼き，肉まんじゅう，ハンバーガー，ピザ，べんとう，ホットドッグ，ミートパイ，ラビオリ，イーストパウダー，こうじ，酵母，ベーキングパウダー，即席菓子のもと，酒かす」、第３１類「食用魚介類（生きているものに限る。），海藻類，野菜（「茶の葉」を除く。），茶の葉，糖料作物，果実，コプラ，麦芽」及び第３２類「飲料用野菜ジュース」
（１６）登録第４２６４２５１号商標（以下「引用商標１６」という。）
商標　　　　　：別掲９のとおり 
登録出願日　　：平成９年１０月１６日
設定登録日　　：平成１１年４月１６日
最新更新登録日：平成２１年１月６日
指定商品　　　：第３類「せっけん類」
（１７）登録第５３７３３７５号商標（以下「引用商標１７」という。）
商標　　　　　：別掲９のとおり 
登録出願日　　：平成２０年８月２１日
設定登録日　　：平成２２年１２月３日
指定商品　　　：第３類「家庭用洗浄剤，洗濯用抗菌剤，せっけん類，抗菌用せっけん，殺菌消毒用せっけん，手洗いせっけん，ボディーソープ，ヘアシャンプー，身体用シャンプー，身体用の消臭防臭・制汗剤，スキンケア用クリーム・ジェル・ローション，スキンケア用化粧品，ひげそり用剤，歯磨き，口内洗浄剤，拭き取り用繊維・ティッシュ・スポンジに含浸させた家庭用の洗浄剤，拭き取り用繊維・ティッシュ・スポンジに含浸させた肌用の洗浄剤，家庭用脱脂剤，さび除去剤，染み抜きベンジン，化粧品，香料類，肌用の薬用クリーム，肌用の薬用ローション，肌用の薬用ジェル状化粧品，抗菌性手洗いせっけん，抗菌性ボディーシャンプー，抗菌性ヘアシャンプー，抗菌性身体用シャンプー」、第５類「薬剤，ジェル状及び泡状の手の殺菌剤，防腐剤，抗菌剤（工業用及び洗濯用のものを除く），殺菌消毒剤，殺菌剤，使い捨てのおしぼり及びティッシュに含ませた殺菌剤，使い捨てのおしぼり及びティッシュに含ませた抗菌剤（工業用及び洗濯用のものを除く），殺虫剤，ダニ殺虫剤，虫除け剤，空気用・織物用・カーペット用・室内装飾用品用の消臭芳香剤，空気浄化剤，臭気中和剤（工業用及び身体用のものを除く），空気用・織物用・表面用のスプレー式の殺菌剤，アレルゲンの中和・抑制・減少用スプレー式薬剤，中味の入っている救急箱，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド」及び第１１類「家庭用・業務用の空気の感知・浄化・殺菌消毒・清浄用の機械器具及びその部品及び付属品，家庭用電気式芳香発生器，家庭用の電気式及び電池式芳香消臭器，芳香発生機能付家庭用空気清浄器，家庭用電熱用品類，暖冷房装置」
（１８）登録第５３９０４０５号商標（以下「引用商標１８」という。）
商標　　　　　：ＭＵＳＥ
登録出願日　　：平成２１年７月６日
設定登録日　　：平成２３年２月１０日
指定商品　　　：第６類「金属製金具」及び第８類「手動利器，手動工具（「皮砥・鋼砥・砥石」を除く。）」
（１９）国際登録第８７９２８７号商標（以下「引用商標１９」という。）
商標　　　　　　　：ＭＵＳＥ
国際商標登録出願日：平成１８年２月２２日
設定登録日　　　　：平成１９年８月１７日
指定商品　　　　　：第３４類「Raw or manufactured tobacco, including cigars, cigarettes, cigarillos, hand-rolling tobacco, pipe tobacco, chewing tobacco, snuff tobacco, tobacco substitutes (for non-medical use).」
（２０）国際登録第８８５７２４号商標（以下「引用商標２０」という。）
商標　　　　　　　：ＭＵＳＥ
国際商標登録出願日：平成１７年１２月２１日
設定登録日　　　　：平成２１年２月６日
指定商品　　　　　：第１８類「Goods made of leather and imitation leather, namely handbags, luggage, wallets, purses, briefcases, school bags; beach bags, satchels for travel, suitcases, trunks and bags for travel, change purses, backpacks, shopping bags, travel suitcases, travel sets namely matching luggage sets for travel (excluding cosmetic cases [not fitted]), attache cases, key cases.」
　
３　当審の判断 
（１）本願商標について
　本願商標は、別掲１のとおりの構成からなるものであるところ、その構成中の「ＭＵＳＥ」の文字は、最上段に位置するものであって、かつ、ほかの構成文字に比して、大きく顕著に表されていることから、視覚上、看者に最も強い印象を与えるといい得るものである。そして、「ＭＵＳＥ」の文字は、「ミューズ」と称呼され、「ギリシア神話で、人間のあらゆる知的活動をつかさどる女神たち」ほどの意味を有する語として、一般に馴染みのある語である。
　他方、本願商標の構成中、上記「ＭＵＳＥ」の文字の下方に三段で小さく表された「ｄｅ」、「Ｄｅｕｘｉｅｍｅ」（「ｉ」の文字の後の「ｅ」の文字には、アクセント記号のアクサングラーヴが付されている。以下同じ。）及び「Ｃｌａｓｓｅ」の各文字は、その文字綴りやアクセント記号があることに照らせば、看者をして、仏語のたぐいとして認識され得るとはいえるものの、一般に馴染みがあるものとまではいい難い。
　そして、本願商標は、その構成中の最下段に小さく表された「ミューズ　ドゥ　ドゥーズィエム　クラス」の文字を配してなるものであるところ、該文字部分は、その配置及び語頭に「ミューズ」の文字があることなどからして、上方に位置する「ＭＵＳＥ」、「ｄｅ」、「Ｄｅｕｘｉｅｍｅ」及び「Ｃｌａｓｓｅ」の各文字の読みを表したものとして看取され得るものである。
　そうすると、本願商標は、「ＭＵＳＥ」、「ｄｅ」、「Ｄｅｕｘｉｅｍｅ」及び「Ｃｌａｓｓｅ」の各文字を四段に表したものの下方に、それらの文字の読みを付記的に表したものとして認識されるといえ、さらに、「ＭＵＳＥ」の文字部分と「ｄｅ」、「Ｄｅｕｘｉｅｍｅ」及び「Ｃｌａｓｓｅ」の文字部分とは、それぞれの構成態様とあいまって、不可分的な結合関係を有するものとはいい難いものであるから、本願商標をその指定役務に使用した場合、これに接する取引者、需要者は、本願商標の構成中、視覚的に最も強い印象を与えるものであって、かつ、馴染みのある「ＭＵＳＥ」の文字部分に着目し、該文字部分をもって取引に当たることも少なくないとみるのが相当である。
　してみれば、本願商標は、その構成全体に相応する「ミューズドゥドゥーズィエムクラス」の称呼を生ずるほか、その構成中の「ＭＵＳＥ」の文字部分に相応して、「ミューズ」の称呼及び「ギリシア神話で、人間のあらゆる知的活動をつかさどる女神たち」の観念をも生ずるものである。
（２）引用商標について
　引用商標１ないし引用商標２０（以下、これらをまとめて「引用商標」という場合がある。）は、前記２のとおり、それぞれ「ミューズ」、「ＭｕＳＥ」、「ＭＵＳＥ」若しくは「Ｍｕｓｅ」の文字を横書きしてなるもの、横書きの「ＭＵＳＥ」の文字の下方に縦書きの「ミューズ」の文字を配してなるもの又は「ＭＵＳＥ」若しくは「Ｍｕｓｅ」の文字と「ミューズ」の文字とを二段に表したものであるところ、これらの文字は、上記（１）において述べたところによれば、いずれも「ミューズ」の称呼を生じ、「ギリシア神話で、人間のあらゆる知的活動をつかさどる女神たち」の観念を生ずるものといえる。
（３）本願商標と引用商標との類否について
　本願商標は、上記（１）のとおり、その構成中の「ＭＵＳＥ」の文字部分が独立して自他役務の識別標識として機能し得るものであり、該文字部分に相応する「ミューズ」の称呼及び「ギリシア神話で、人間のあらゆる知的活動をつかさどる女神たち」の観念を生ずるものである。
ア　本願商標の構成中の「ＭＵＳＥ」の文字部分と引用商標の１、９、１０、１２、１３、１５、１６、１７、１８、１９及び２０とを比較すると、両者は、すべて大文字で表されたつづり字を同じくする「ＭＵＳＥ」の文字を共通にする点において、外観上、近似した印象を与えるものである上、「ミューズ」の称呼及び「ギリシア神話で、人間のあらゆる知的活動をつかさどる女神たち」の観念を同じくするものであるから、これらを総合勘案すれば、両商標は、相紛れるおそれがあるというべきものである。
イ　本願商標の構成中の「ＭＵＳＥ」の文字部分と引用商標２とを比較すると、両者は、すべて大文字で表されているか又は大文字及び小文字の組合せで表されているかの違いはあるものの、つづり字を同じくする「ＭＵＳＥ」の文字と「ＭｕＳＥ」の文字との間で、外観上、近似した印象を与えるものである上、「ミューズ」の称呼及び「ギリシア神話で、人間のあらゆる知的活動をつかさどる女神たち」の観念を同じくするものであるから、これらを総合勘案すれば、両商標は、相紛れるおそれがあるというべきものである。
ウ　本願商標の構成中の「ＭＵＳＥ」の文字部分と引用商標の３、７及び８とを比較すると、両者は、外観において相違するものの、「ミューズ」の称呼及び「ギリシア神話で、人間のあらゆる知的活動をつかさどる女神たち」の観念を同じくするものであるから、これらを総合勘案すれば、両商標は、相紛れるおそれがあるというべきものである。
エ　本願商標の構成中の「ＭＵＳＥ」の文字部分と引用商標の４、５、６、１１及び１４とを比較すると、両者は、すべて大文字で表されているか又は大文字及び小文字の組合せで表されているかの違いはあるものの、つづり字を同じくする「ＭＵＳＥ」の文字と「Ｍｕｓｅ」の文字との間で、外観上、近似した印象を与えるものである上、「ミューズ」の称呼及び「ギリシア神話で、人間のあらゆる知的活動をつかさどる女神たち」の観念を同じくするものであるから、これらを総合勘案すれば、両商標は、相紛れるおそれがあるというべきものである。
　してみれば、本願商標と引用商標１ないし引用商標２０とは、いずれの比較においても相紛れるおそれがあるから、本願商標と引用商標とは、類似する商標というべきである。　
オ　本願の指定役務は、前記１のとおり、第３５類に属するいわゆる特定の商品についての小売等役務であるところ、該役務の提供と該役務の提供に係る商品の製造、販売とが同一の者によって行われることは、商取引上、しばしば見受けられるものであり、そのような場合、該役務の提供場所や需要者の範囲と該役務の提供に係る商品の販売場所や需要者の範囲とが一致することも、少なからずあるとみるのが相当である。
　そうすると、本願の指定役務には、例えば、「被服の小売又は卸売の業務において行われる顧客に対する便益の提供」や「かばん類及び袋物の小売又は卸売の業務において行われる顧客に対する便益の提供」といった役務が含まれている一方、引用商標の指定商品には、それらの役務の提供に係る「被服」や「かばん類及び袋物」といった商品と同一又は類似の商品が含まれているから、これらの役務及び商品について同一又は類似の商標が使用された場合、これに接する需要者は、その役務の提供と商品の製造、販売とが同一の者によるものと誤認し、その出所について混同を生ずるおそれがあるというべきである。
　してみれば、本願の指定役務と引用商標の指定商品とは、互いに類似するものである。
（４）請求人の主張について
ア　請求人は、自己の所有に係る登録第５５６８２２２号商標が拒絶理由を通知されることなく登録査定されたことに照らせば、本願商標も同様に登録されるべきである旨主張する。
　しかしながら、上記主張に係る登録第５５６８２２２号商標は、特徴のない普通に用いられる書体をもって表された「Ｍｕｓｅ　ｄｅ　Ｄｅｕｘｉｅｍｅ　Ｃｌａｓｓｅ」の文字（「ｉ」の文字の後の「ｅ」の文字には、アクセント記号のアクサングラーヴが付されている。）と該文字よりもやや小さく表された「ミューズ　ドゥ　ドゥーズィエムクラス」の文字とを二段に表してなるものであって、本願商標とは構成態様を異にするものである。
　そして、本願商標は、上述のとおり、その構成態様に鑑みれば、「ＭＵＳＥ」の文字部分に相応して「ミューズ」の称呼及び「ギリシア神話で、人間のあらゆる知的活動をつかさどる女神たち」の観念を生ずるものであって、引用商標と類似する商標であるといえる。　　　
　してみれば、自己の所有に係る別異の登録商標が存することをもって本願商標も登録すべきとする請求人の主張は、採用することができない。
イ　請求人は、「Ｄｅｕｘｉｅｍｅ　Ｃｌａｓｓｅ」の文字（「ｉ」の文字の後の「ｅ」の文字には、アクセント記号のアクサングラーヴが付されている。以下同じ。）が、請求人の業務に係るブランドを表す標章として、「被服」を主とするファッションアパレル分野の需要者の間で強い品質・出所表示機能を発揮していることからすれば、本願商標をその指定役務に使用した場合、該文字部分が捨象されることはなく、その構成全体に相応する「ミューズドゥドゥーズィエムクラス」の一連の称呼及び「ドゥーズィエムクラスの女神」ほどの観念を生ずるものであるから、本願商標と引用商標とは非類似の商標である旨主張する。
　しかしながら、請求人が原審ないし当審を通じて提出した甲各号証によれば、「Ｄｅｕｘｉｅｍｅ　Ｃｌａｓｓｅ」の文字からなる標章が、請求人の業務に係るブランドの一を表すものであること、該ブランドに係る店舗が東京、横浜、名古屋、大阪、神戸及び福岡において十数店あること、該ブランド（関連ブランドを含む。）の２０１０年９月から２０１２年８月までの間の売上げが一定程度に及ぶことはうかがえるものの、実際の使用に係る商標及び役務、その使用に係る具体的な開始時期、期間及び地域並びに広告宣伝の方法、回数及び内容等は明らかでなく、これらをもって、該標章が請求人の業務に係るブランドを表す標章として需要者の間に広く認識されているということはできない。
　してみれば、上記請求人による主張は、その前提において失当である。
ウ　請求人は、本願商標と引用商標とは「ＭＵＳＥ」の文字を共通にする程度のものである上、その指定役務と指定商品との関係も推定の類似範囲にとどまるものであるから、両商標の間に完全に重なっている部分はなく、また、本願商標を実際に使用しているが、引用商標との関係で出所の混同を生じた事実もない旨主張する。
　しかしながら、商標法第４条第１項第１１号は、商品又は役務の出所の混同防止のためのものであり、先願に係る他人の登録商票と同一又は類似する商標であって、その商標登録に係る指定商品若しくは指定役務と同一又は類似する商品若しくは役務について使用をするものの登録を認めないとするものであるところ、本願商標と引用商標とが類似する商標であり、かつ、本願の指定役務と引用商標の指定商品とが類似するものであることは、上記（３）において認定、判断したとおりである。
　また、請求人による上記出所の混同を生じた事実はないとする主張は、請求人に対して出所の混同に関する苦情や混乱の情報等が寄せられていない旨を意味するものと解されるにとどまるものであり、本願の指定役務の需要者において、現実に出所の混同を生じなかったと断定するに足りる的確な証拠はない。
　したがって、請求人による上記の主張は、採用することができない。
（５）まとめ
　以上のとおり、本願商標は、引用商標と類似する商標であり、かつ、本願の指定役務は、引用商標の指定商品と類似するものであるから、商標法第４条第１項第１１号に該当し、登録することができない。
　よって、結論のとおり審決する。